(57)【要約】【課題】時刻を表示するための処理時間の差により複数の装置で時刻表示を一致させることができない。【解決手段】２つの装置２００は、時刻装置から分配される時刻情報をユーザーインタフェースで表示する時刻表示部を有する。時刻受信回路は時刻情報を同期して受信し、時刻表示変換回路は受信した時刻情報を表示情報に変換する。補正値記憶回路は装置で表示タイミングが一致するように表示情報を補正するための補正値を記憶し、表示補正回路は表示情報の時刻表示部への送出タイミングを補正値に従い補正する。表示時間差抽出回路は各時刻表示部における表示時間差を抽出し、補正値調整回路は抽出された時間差により装置それぞれの補正値を算出し表示補正回路へ通知する。【選択図】図１
2012154814.tif 000002
【特許請求の範囲】
【請求項１】
時刻装置から分配される時刻情報を同期して受信した各装置において、前記受信した時刻情報をユーザーインタフェースの表示情報に変換するための処理時間を補正し、一致した表示タイミングで前記時刻情報による時刻を前記ユーザーインタフェースで表示することを特徴とする時刻表示同期装置。
【請求項２】
時刻装置から分配される時刻情報をユーザーインタフェースで表示する時刻表示部を有する複数の装置それぞれに、
前記時刻情報を同期して受信する時刻受信回路と、
前記受信した時刻情報をユーザーインタフェースの表示情報に変換する時刻表示変換回路と、
全装置で表示タイミングが一致するように前記表示情報を補正するための補正値を記憶する補正値記憶回路と、
前記表示情報の前記時刻表示部への送出タイミングを前記補正値に従い補正する表示補正回路を備え；
前記各時刻表示部における表示時間差を抽出する表示時間差抽出回路と、
前記抽出された時間差により前記装置それぞれの前記補正値を算出し前記表示補正回路へ通知する補正値調整回路を設けたことを特徴とする時刻表示同期装置。
【請求項３】
前記表示時間差の抽出は、前記各装置の時刻表示部でプローブにより検出した電気信号に基づいて行うことを特徴とする請求項２に記載の時刻表示同期装置。
【請求項４】
前記プローブは、カップ形状で外部の光を遮り、前記時刻表示部それぞれの時刻表示盤の数字の変化による明るさの変化を前記電気信号に変換することを特徴とする請求項３に記載の時刻表示同期装置。
【発明の詳細な説明】
【技術分野】
【０００１】
本発明は、複数の装置が時刻装置の時刻と同期して時刻を表示する時刻表示同期装置に関する。
【背景技術】
【０００２】
従来のこの種の時刻表示同期装置の一例として、複数のステーションをもつプロセス監視制御装置において、各ステーションは、他のステーションから時刻同期データを受けると、この時刻同期データに、時刻同期データの伝送路による伝送遅れ時間やＣＰＵがタイマーにセットする時間を加算した補正値を加えて補正した時刻を表示する技術が知られている。この通信制御システムは、複数のステーション間の距離や、各ステーション内のＣＰＵ負荷により時刻の表示に時間がかかる場合であっても時刻を同期できるようにしたものである。
【０００３】
しかしながら、この技術では、ステーション間の距離や各ステーション内のＣＰＵ負荷により時刻同期データに補正を加えているため、ステーション間で補正による誤差が伝搬し時刻装置における正しい時刻に対する時刻ずれが入り込む可能性が考えられる。
【先行技術文献】
【特許文献】
【０００４】
【特許文献１】特開平０６−１６１９１５号公報
【発明の概要】
【発明が解決しようとする課題】
【０００５】
解決しようとする問題点は、時刻を表示するための処理時間の差により複数の装置で時刻表示を一致させることができない点である。
【課題を解決するための手段】
【０００６】
本発明は、複数の装置で時刻表示を一致させるために、各装置で一致した表示タイミングとなるように、表示情報の送出タイミングを補正することを最も主要な特徴とする。
【発明の効果】
【０００７】
本発明の時刻表示同期装置は、時刻装置の時刻情報に同期して動作している複数の装置の時刻表示部から時刻ずれを検出し、表示タイミングのみを補正する構成としたため、時刻装置に同期した時刻に影響することなく、時刻表示処理に要する処理時間の差から生じる時刻ずれ補正し、複数の装置の時刻表示を同期させることができるという利点がある。
【図面の簡単な説明】
【０００８】
【図１】本発明の一実施例を示すブロック図である。
【図２】本発明の時刻表示同期装置の適用例を示すブロック図である。
【図３】時刻ずれの抽出方法を示す図である。
【図４】プローブから出力される電気信号の波形を示す図である。
【発明を実施するための形態】
【０００９】
次に、本発明の実施の形態について図面を参照して詳細に説明する。
【実施例１】
【００１０】
図１は、本発明の一実施例を示すブロック図である。この時刻表示同期装置は、例えば、衛星電波を受信する地上局の設備であって、時刻装置１００から分配される基準時刻情報１のユーザーインタフェース（例えば、ディスプレイや時刻表示盤）への表示タイミングを２つのデータ処理装置２００（１）と２００（２）で補正することによって時刻表示を一致させるようにしたものである。ここでは、説明を単純化するために、２つの装置構成としているが、任意の複数構成としてもよい以下では、データ処理装置２００を装置２００と記す。
【００１１】
時刻装置１００は、装置２００（１）と２００（２）へ正確な基準時刻情報１を分配しており、本実施例では一般的なＩＲＩＧ（Inter-Range Instrumentation Group）タイムコードフォーマットの信号を想定する。装置２００（１）と２００（２）は、局内やシステム内で時刻装置１００に同期する装置であって、装置内部を流れる信号、他装置（例えば図２に示すデータ復調装置１００２）からの受信データに時刻情報をタイミング信号に合わせて付加する。
【００１２】
図２は、本発明の時刻表示同期装置の適用例であって衛星電波受信設備を示している。アンテナ設備１０００は衛星からの電波を受信し、電波受信装置１００１は受信された電波を電気信号に変換し、データ復調装置１００２は電気信号をデジタルデータに変換する。データ復調装置１００２は上記の他装置に相当し、変換されたデジタルデータを装置２００の時刻処理回路２１２等へ出力する。時刻処理回路２１２等は、このデジタルデータをユーザーデータに変換し、時刻受信回路２１１からの時刻情報を付加して、ユーザーインターフェース１００３へ出力する。
【００１３】
装置２００（１），２００（２）は、時刻情報を付加した装置内部を流れる信号を他の装置（不図示）へ流すと共に、時刻情報を例えばユーザーインタフェース（図２における１００３）に表示したり、その表示は日本時刻または外国の現地時刻だったりというように、タイプの異なる装置であったり、また、同じタイプであっても装置構成部品等のばらつきに起因して時刻の表示にズレが生じ得る。この補正のために、時刻装置２００（１）と時刻装置２００（２）の間に補正値調整回路３００および時刻差分抽出回路４００が介在させている。
【００１４】
装置２００（１）は、時刻受信回路２１１、時刻処理回路２１２、時刻表示変換回路２１３、表示補正回路２１４、時刻表示部２１５および補正値記憶回路２１６から成る。装置２００（２）と２００（１）は、時刻表示に係る部分については同構成であるため、その内部構成の説明は装置２００（１）について行なうものとする。
【００１５】
時刻同期回路２１１は、時刻装置１００から送信される基準時刻情報１を受信し、基準時刻情報１に含まれる時刻を数値化した時刻情報とタイミング信号を抽出して、抽出した時刻情報およびタイミング信号２，３を時刻処理回路２１２，時刻表示変換回路２１３へ出力する。
【００１６】
時刻処理回路２１２は、装置内部に流れる信号、他装置（図２におけるデータ復調装置１００２）からの受信データに時刻同期回路２１１が抽出した時刻情報をタイミング信号に合わせて付加する。タイミング信号は、ミリ秒、マイクロ秒の秒針にあたり、このようにタイミング信号に合わせることで精度の高い時刻情報の付加が可能である。タイミング信号は、ミリ秒、マイクロ秒の秒針にあたり、このようにタイミング信号に合わせることで精度の高い時刻情報の付加が可能である。
【００１７】
時刻表示変換回路２１３は、時刻受信回路２１１が抽出した時刻情報を入力して時刻表示部２１５が表示できる時刻信号４（ユーザーインタフェースの表示情報）に変換する。しかし、装置２００（１）と装置２００（２）は上述のように異なることから、この処理時間は各々の装置により差が生じ、ディスプレイや時刻表示盤へ時刻が表示されるタイミングにズレが生じ得る。
【００１８】
そこで、表示補正回路２１４は、補正値記憶回路の補正情報６に従い、時刻信号４の送出タイミングを早めたり遅らせたりして、装置２００（１）と装置２００（２）で表示タイミングが一致するようにする。時刻表示部２１５は補正時刻信号５に従って時刻をユーザーインタフェースで表示する。補正値記憶回路２１６は、補正値調整回３００からの補正値７を受信して記憶し、補正値調整回３００が取り外されても補正値７を失うことがない。
【００１９】
時刻表示部２１５が表示する時刻は、時刻処理回路２１２で受信データ等に付加された時刻情報に対応し、これを補正したものである。補正値記憶回路２１６および表示補正回路２１４が、補正値調整回３００および時刻差分抽出回路４００による支援を受けて、この補正を行なう。
【００２０】
時刻差分抽出回路４００は、装置２００（１）の時刻表示部２１５と装置２００（２）の時刻表示部２２５に直接プローブを当て、時刻変化情報８と時刻変化情報１８から装置２００（１）と装置２００（２）の時刻変化の差を時間として検出し、検出した時間差１６を補正値調整回路３００へ出力する。補正値調整回路３００は、時刻差分抽出回路４００からの時間差１６を元に装置２００（１）と装置２００（２）のどちらをどの程度遅らせるべきか、または早めるべきか算出し、補正値７を補正値記憶回路２１６、補正値１４を補正値記憶回路２２６へ出力する。
【００２１】
図１においては、主に表示時刻の補正に係る部分を示し、図２においては、装置内部を流れる信号に時刻情報を付加することを説明するのに必要な装置２００の部分（時刻受信回路２１１と時刻処理回路２１２）のみを示している。このように、装置２００において、表示時刻を補正する機能と、装置内部を流れる信号に時刻情報を付加する機能とは別個に働く。
【００２２】
次に、以上のように構成された本時刻表示同期装置の動作について説明する。先ず、時刻装置１００は基準時刻情報１を装置２００（１）と２００（２）に分配する。装置２００（１）においては、時刻受信回路２１１で基準時刻情報１を入力し、時刻情報とタイミング信号２を抽出し、時刻情報およびタイミング信号２を時刻処理回路２１２と時刻表示変換回路２１３へ分配する。時刻処理回路２１２は、装置２００（１）の内部に流れる信号、例えば他装置からの受信データに時刻情報をタイミング信号に合わせて付加する。
【００２３】
時刻表示変換回路２１３は、時刻情報３をディスプレイや時刻表示盤へ表示するための時刻信号４に変換する。表示補正回路２１４は、時刻信号４に対し補正記憶回路２１６の補正値６の指示に従い、時刻信号５の送出タイミングを早めたり遅らせることで、表示タイミングを補正する。時刻表示部８は、タイミングを補正された時刻信号５をディスプレイや、時刻表示盤へ表示する。
【００２４】
装置２００（２）の内部動作は装置２００（１）と同様である。但し、装置２００（１）と２００（２）では、ディスプレイや時刻表示盤へ時刻が表示される時間が前述の事情から若干異なる惧れがある。そこで、装置２００（１）と２００（２）の各々の時刻表示部２１５，２２５へプローブを当て、変化情報８，１５を表示時間差抽出回路４００に取り込み、変化情報８，１５の時間差を求め、補正値調整回路３００へ時間差１６を送出する。
【００２５】
補正値調整回路３００は、時間差１６を元に一方を基準とし、どちらをどの程度遅らせるべきか、または早めるべきか算出し、装置２００（１），２００（２）の補正値記憶回路２１６，２２６へ補正値７，１４を出力する。この補正処理を数分間繰り返すことで、装置２００（１）と２００（２）の表示タイミングが一致する。一致した時点で表示時間差抽出回路４００および補正値調整回路３００を取り外し、補正値記憶回路２１６，２２６に保持した補正値６，１３で補正を継続することで表示タイミングの一致を保つことが可能である。
【００２６】
図３は、ディスプレイや時刻表示盤の時刻の変化タイミングを抽出する方法を例示している。４０１はプローブで、カップのような形状で外部の光を遮り、時刻表示部２１５，２２５それぞれの時刻表示盤の数字の変化による明るさの変化を電流の変化として捕らえる素子、例えばフォトトランジスタにより電気信号に変換する装置である。図３において、時刻表部２１５，２２５からプローブ４０１，４０２で抽出した変化タイミングから、表示時間差抽出回路４００が時間差を抽出し、補正値調整回路３００がこの時間差を元にして補正値を算出して補正し、時刻表部２１５，２２５は同じ表示タイミングで「16:28:40」という時刻を表示している。
【００２７】
図４は、プローブ４０１から出力される電気信号の波形を示す。時刻表示盤の数字が変化することにより明るさが変化するので、１秒間周期で照度が変化する。プローブは、この照度の変化点を表示の切替りと捉えることで、時刻の変化タイミングを検出することができる。
【００２８】
なお、補正は、装置２００の１つを基準として他方の装置を補正する方法や、近い装置同士を順々に補正する方法が有効である。また、ここでの表示補正は、表示タイミングの調整であり、装置自身が持つ時刻を変更する訳ではないので、装置２００の内部的に処理されるデータには、時刻処理回路２１２，２２２で時刻装置１００に同期した高精度の時刻が付加される。
【００２９】
上記の実施形態の一部又は全部は、以下の付記のようにも記載されうるが、以下には限られない。
【００３０】
（付記１）時刻装置から分配される時刻情報を同期して受信した各装置において、前記受信した時刻情報をユーザーインタフェースの表示情報に変換するための処理時間を補正し、一致した表示タイミングで前記時刻情報による時刻を前記ユーザーインタフェースで表示することを特徴とする時刻表示同期装置。
（付記２）時刻装置から分配される時刻情報をユーザーインタフェースで表示する時刻表示部を有する複数の装置それぞれに、前記時刻情報を同期して受信する時刻受信回路と、  前記受信した時刻情報をユーザーインタフェースの表示情報に変換する時刻表示変換回路と、全装置で表示タイミングが一致するように前記表示情報を補正するための補正値を記憶する補正値記憶回路と、前記表示情報の前記時刻表示部への送出タイミングを前記補正値に従い補正する表示補正回路を備え；前記各時刻表示部における表示時間差を抽出する表示時間差抽出回路と、前記抽出された時間差により前記装置それぞれの前記補正値を算出し前記表示補正回路へ通知する補正値調整回路を設けたことを特徴とする時刻表示同期装置。
【００３１】
（付記３）前記表示時間差の抽出は、前記各装置の時刻表示部でプローブにより検出した電気信号に基づいて行うことを特徴とする付記２に記載の時刻表示同期装置。
【００３２】
（付記４）前記プローブは、カップ形状で外部の光を遮り、前記時刻表示部それぞれの時刻表示盤の数字の変化による明るさの変化を前記電気信号に変換することを特徴とする付記３に記載の時刻表示同期装置。
【産業上の利用可能性】
【００３３】
精度の高い時刻装置を求められる局設備等で、特に複数の時刻表示盤を並べて配置するような場合の時刻表示同期装置として好適である。
【符号の説明】
【００３４】
１００            時刻装置
２００（１）      装置
２００（２）      装置
２１１，２２１    時刻受信回路
２１２，２２２    時刻処理回路
２１３，２２３    時刻表示変換回路
２１４，２２４    表示補正回路
２１５，２２５    時刻表示部
２１６，２２６    補正値記憶回路
３００            補正値調整回路
４００            表示時間差抽出回路
４０１            プローブ
４０２            プローブ
１０００          アンテナ装置
１００１          電波受信装置
１００２          データ復調装置
１００３          ユーザーインタフェース
【図１】
2012154814.tif 000003
【図２】
2012154814.tif 000004
【図３】
2012154814.tif 000005
【図４】
2012154814.tif 000006